(57)【要約】本発明は容器栓システムであって、栓キャップ（１）と、注ぎ口（５）の形を成す容器（２）のネック部（３）または類似物を具備し、栓キャップ（１）は注ぎ口が閉じられるようにネック部の上に配設されている。本発明の容器栓システムはシングルユースの栓システムの形で実施されており、この目的のために実施されたネック部（３）の背面保持領域（７）に、ネジ栓の高さに配置された延伸フランジ（１５）を具備する。延伸フランジの外径寸法はフランジの背面保持領域（７）を画定する穴の径方向寸法よりも大きい。延伸フランジは、例えば、ネック部（３）の注ぎ口（５）内に係合可能であり、背面保持領域（７）をネック部の注ぎ通路（４）内に設けることができる。延伸フランジは、少なくとも、延伸フランジ、または、その背面保持領域により半径方向に作用する弾性復元力により、境界開口を通って移動可能であり、それにより背面保持領域に戻されることが防止されている。
2006503763.tif 000002
【特許請求の範囲】
【請求項１】
容器栓システムであって、栓キャップ部分と、注ぎ口を有する容器のネック部分とを具備し、前記ネック部分の上に栓キャップ部分が注ぎ口を閉鎖して取り付けられているものにおいて、
ネック部分（３）のカラー背面保持領域（７、３０）に接するように(lagemaessig)位置決めされた、栓キャップ部分（１）に設けられた延伸カラー（１５、２５）が、カラー背面保持領域の境界開口部の半径方向寸法よりも大きい半径方向寸法を有し、延伸カラーが少なくとも延伸カラーまたはカラー背面保持領域の側からもたらされる半径方向の弾性的な復帰力に抗して、境界開口部を抜け出ることはできるが、カラー背面保持領域上へ復帰移動することは阻止されていることによって、この容器栓システムが、ワンウェイ栓システムとして形成されていることを特徴とする、容器栓システム。
【請求項２】
延伸カラー（２５）が栓キャップ部分（１）のキャップ端縁（１０）に、そしてカラー背面保持領域（３０）がネック部分（３）の外周面に設けられていることを特徴とする請求項１に記載の容器栓システム。
【請求項３】
延伸カラー（１５）がネック部分（３）の注ぎ口（５）内へ嵌入し、カラー背面保持領域（７）がネック部分内の注ぎ出し通路（４）に設けられていることを特徴とする請求項１に記載の容器栓システム。
【請求項４】
延伸カラーが、下方かつ外側へ向かって円錐状に拡幅する延伸フランジ（１５、２５）であることを特徴とする請求項１、２または３に記載の容器栓システム。
【請求項５】
延伸カラー（１５、２５）が、周面において連続的に延びており、あるいはセグメントから構成されていることを特徴とする請求項１から４のいずれか１項に記載の容器栓システム。
【請求項６】
延伸カラー（１５、２５）が、先の尖った端縁稜（１６、２６）を有していることを特徴とする請求項１から５のいずれか１項に記載の容器栓システム。
【請求項７】
容器栓システムが、２成分射出成形によって本来の位置に形成された、カラー背面保持領域（７、３０）に位置決めされた延伸カラー（１５、２５）を有するプラスチックからなる成形部品であることを特徴とする請求項１から６のいずれか１項に記載の容器栓システム。
【請求項８】
栓キャップ部分（１）とネック部分（３）が、別々に形成されたプラスチック成形部品であって、その場合に延伸カラー（１５、２５）がカラー背面保持領域（７、３０）に、少なくとも一方の成形部品における変形プロセスによって位置決めされていることを特徴とする請求項１から６のいずれか１項に記載の容器栓システム。
【発明の詳細な説明】
【技術分野】
【０００１】
本発明は、栓キャップ部分と、注ぎ口を備えた容器のネック部分とからなる、容器栓システムに関する。
【背景技術】
【０００２】
本発明は、特に、ワンウェイ栓システムに関する。この種のワンウェイ栓システムの利用分野は、容器の開放後は、空気と接触するとすぐに、傷みやすく、たとえば有毒になることにより、すぐに消費しなければならない製品のための容器を閉鎖することである。従って、一度開放された容器は、同じ栓を用いては再度閉鎖できないことが、保証されなければならない。この作用を有する、既知の種類の容器の栓は、いわゆる王冠栓である。しかしこれは、それを利用するためには、開放するための工具としっかりとした容器を必要とする。袋状の容器の注ぎ出し成形部分の進入開口部を閉鎖する場合に、この前提は与えられないことが多い。さらに、再び閉鎖できないにもかかわらず、美的理由から従来のねじ栓または差込み栓の外観が望ましいことが多い。
【発明の開示】
【０００３】
この需要に関して、本発明によって、ワンウェイ栓として形成された容器栓システムが提供され、その容器栓システムは、請求項１の特徴を有し、特に、ネック部分のカラー背面保持領域に位置に従って位置決めされる延伸カラーが、栓キャップ部分に設けられており、その延伸カラーはカラー背面保持領域の境界開口部の半径方向の寸法よりも大きい半径方向の外側寸法を有している。延伸カラーは、弾性的な復帰力に抗して境界開口部を抜け出すことはできるが、カラー背面保持領域上へ復帰移動することは阻止されている。本発明に基づくワンウェイ栓は、上述した機能にもかかわらず、外側の形状においては、従来の種類の容器栓とは異ならない。ワンウェイ栓は、栓キャップ部分が一度開放した後はもはやネック部分に対して位置に従って位置決めすることができないように、形成することができる。しかしまた、栓キャップ部分は一度開放した後はもはやネック部分における本来の閉鎖位置へ取り付けることはできないが、ネック部分内の注ぎ口の気密な閉鎖をもたらすことなしに、栓キャップ部分がネック部分に対して定められた位置をとることができる、中間位置へ移動させることができるように、形成することも可能である。このことが特に、本発明に基づくワンウェイ栓を有する容器が空になった後のリサイクルを容易にする。
【発明を実施するための最良の形態】
【０００４】
以下、実施例と図面を用いて、本発明を詳細に説明する。
【０００５】
以下、実施形態を用いて本発明が説明され、実施形態においては、ネック部分３と栓キャップ部分１に相補的に協働するねじが設けられていることにより、栓キャップ部分１が容器部分２のネック部分３上に取り付けられているので、捻ることにより注ぎ口６を解放しながら栓キャップ部分１をネック部分３から取り外すことができる。しかし、本発明は、栓キャップ部分１のこの種の取付けに限定されるものではなく、栓キャップ部分１は他の方法でも、たとえばネック部分３を軸方向に並進移動させることによっても、取り外すことができる。
【０００６】
次に、図１と図１Ａに示す本発明の実施形態を参照する。ネック部分３は、容器部分２に近い、直径の大きい周領域１２と、注ぎ口５に近い、直径の小さい周領域８とを備えた注ぎ出し通路４を有している。円錐形の移行領域７が、周領域８、１２の間の移行部を形成しており、その移行領域は、狭い周領域８の方向へ円錐状に狭くなる、リング状のバックグリップ面１３を形成している。
【０００７】
栓キャップ部分１は、既知のように、キャップ終端壁９とその外周から突出するキャップ端縁１０とを有している。栓キャップ部分１は、ネック部分３を把持し、その場合にキャップ端縁１０の内周面にねじ１１が形成されており、そのねじはネック部分３の外周に設けられた相補的なねじ６と協働することができ、それによって栓キャップ部分１が注ぎ口５を密封しながらネック部分３に取り付けられる。
【０００８】
キャップ終端壁９の内側から、リングフランジ１４が突出しており、そのリングフランジ１４の外径は、ネック部分３の狭くなった周領域８の内径に適合されているので、リングフランジ１４は、図１に示すように、ネック部分３の周領域８内へ嵌入することができる。
【０００９】
リングフランジ１４の外側の端部に、延伸カラー１５が設けられており、その延伸カラー１５はリングフランジ１４から外側かつ下方へ向かって延びて、尖端または端縁稜１６を有しており、その直径は大体においてネック部分３の拡幅された周領域１２の直径にほぼ相当し、あるいはこの直径よりもわずかに小さいか、あるいはわずかに大きくすることができる。延伸カラー１５は、円錐状またはやや球状に湾曲された上側を有しており、その上側は、栓キャップ部分１がネック部分３から取り外される場合に、移行領域７のバックグリップ１３と係合することができる。それによって、延伸カラー１５は、直径が小さくなるように弾性変形し、ついには狭くなった周領域８を通ることができる。延伸カラー１５が注ぎ口５を離れるとすぐに、延伸カラー１５は材料の弾性とそれによってもたらされる復帰力によって、図１Ａに示すように、再びその元のストレッチ位置をとる。
【００１０】
ストレッチ位置において、延伸カラー１５の端縁稜１６の直径は、注ぎ口５の直径よりも大きいので、栓キャップ部分１を再びネック部分３上に螺合し、ないしは取り付けようと試みた場合に、延伸カラー１５の端縁稜１６がネック部分３の終端稜１７と添接し、それによって栓キャップ部分１はネック部分３に対してさらに軸方向に移動することを阻止される。栓キャップ部分１に取付け方向において増大された軸方向の力が加えられた場合でも、図１に示す栓キャップ部分１とネック部分３との間の形状が再びとられることはない。というのは、増大された力の消費は延伸カラー１５の半径方向寸法のさらなるストレッチないしは増大をもたらすことになるだけだからである。
【００１１】
図１に符号１５’で示唆されているように、延伸カラー１５は、栓キャップ部分１をネック部分３上に最初に取り付ける場合には、まず、大体において軸方向に向けることができ、ないしはリングフランジ１４の軸方向の延長となることができる。図示されていない、ネック部分３の側から導入される工具によって、適当な方法で、たとえば冷間変形または熱間変形によって、延伸カラー１５を実線で示される最終的な形状に成形することができる。この種の取付けは、ワンウェイ栓システムが袋状の容器のための注ぎ出し成形部品において使用される場合に、特別な利点を提供する。
【００１２】
図２と図２Ａは、本発明の他の実施形態を示している。上述し、かつ図１と図１Ａに示されている実施形態におけるのと同一または同様な構成部品は、同じ参照符号を有しており、以下で再度説明はしない。図１と図２Ａに示す実施形態においては、栓キャップ部分１がネック部分３から取り外された後に、栓キャップ部分１が図２に示す初期位置または閉鎖位置へ復帰することを阻止する手段が、栓キャップ部分１とネック部分３の外周に設けられている。特に、キャップ端縁１０の下方の端部に、延伸カラー２５が設けられており、その延伸カラー２５はキャップ端縁１０から外側かつ下方へ延びており、先の尖った端縁稜２６、円錐状の上側２４および円錐状の下側３１を有することができる。
【００１３】
ネック部分３に、リング状の凹部または収容部２７が設けられており、その中に、図２に示すように、栓キャップ部分１の閉鎖位置において、延伸カラー２５が収容されている。収容部２７は、ネック部分３から外側へ張り出すウェブ２８とその外側の周面から上方へ軸方向に張り出す端縁２９によって形成することができる。端縁２９からさらに上方かつ内側へ、終端稜３２へ向かって円錐状に細くなる突出部３０が張り出している。終端稜３２は、収容部２７への進入開口部を画成しており、その半径方向の寸法は延伸カラー２５の終端稜２６のそれよりも小さいので、延伸カラー２５は栓キャップ部分１がネック部分３から取り外される場合に、端縁稜２６の直径が一時的に縮小され、あるいは端縁稜３２の直径が一時的に拡大された場合に、進入開口部３２を通ることができる。これは、延伸カラー２５または円錐状の突出部３０あるいはその両方の部分の弾性的な特性によって行うことができ、その場合にそれからもたらされる復帰力は、延伸カラー２５が収容部２７の内部または外部に配置されるとすぐに、これらの部分を再び図２に示す初期位置へ復帰させる。
【００１４】
図２Ａに示すように、栓キャップ部分１が注ぎ口５を解放する位置へ少なくとも軸方向のある距離区間移動された場合に、延伸カラー２５の端縁稜２６が突出部３０を越えて張り出す。栓キャップ部分１を閉鎖位置へ戻そうという試みがなされた場合に、延伸カラー２５の下側２４が突出部３０の上側上で滑り移動し、それは端縁稜２６の直径の拡大をもたらすが、延伸カラー２５が収容部２７内へ新たに進入することをもたらすことはできない。
【００１５】
最初に取り付ける場合には、突出部３０は、本発明の上述した実施形態に関連して説明したのと同様に、最初は軸方向の延びを有することができ、図示されていない工具を用いて適当な方法で、たとえば冷間変形または熱間変形によって、延伸カラー２５を収容部２７内に位置決めするために、図に示す最終的な形状に変形することができる。
【００１６】
本発明の２つの実施形態において、栓キャップ部分とネック部分は、射出成形型内でまず２つの部分の一方が成形され、次にさらに同じ射出成形型内で他方の部分が成形されることによって、２成分射出成形によって一気に形成することができる。プラスチックの２成分射出成形は、当業者に知られており、ここで詳細に説明する必要はない。このようにして、図１と図２に示すように、これらの部分の適切な形状が得られ、機械的に後から変形ステップを行う必要はない。
【００１７】
延伸カラーは、周面が連続した、あるいはセグメント化された延伸フランジとして形成することができる。その代わりに、延伸カラーおよび／または該当するカラー背面保持領域を、栓キャップ部分ないしネック部分の直径方向に対向する領域に減少させることもできる。
【図面の簡単な説明】
【００１８】
【図１】断片的に示唆される、初期状態における容器を有する、本発明の実施形態に基づくワンウェイ栓システムを示す縦断面図である。
【図１Ａ】図１に示すワンウェイ栓システムを、ネック部分から栓キャップ部分を除去した後の状態において示している。
【図２】本発明の他の実施形態に基づくワンウェイ栓システムを図１と同様に示す縦断面図である。
【図２Ａ】図２に示すワンウェイ栓システムを、ネック部分から栓キャップ部分を除去した後の状態において示している。
【図１】
2006503763.tif 000003
【図２】
2006503763.tif 000004
【国際調査報告】
2006503763.tif 000005
2006503763.tif 000006
2006503763.tif 000007
2006503763.tif 000008
2006503763.tif 000009